(57)【要約】【課題】違和感少なくして装着でき、装着することで男性器を清潔に保つ、また、仮性包茎の矯正にも効果的な男性器装着リングの提供。【解決手段】トルマリン及びセラミックス含有のシリコンエラストマー素材からなる円形リングで、円形の弾性リング本体１０ａと、弾性リング本体１０ａの外周から一体に延在させた円形の弾性フランジ部１０ｂで構成されて、リング本体１０ａが男性器２０のくびれ部２３に適度な弾性力で着脱自在に装着される。くびれ部２３に装着された男性器装着リング１０のフランジ部１０ｂが男性器２０の包皮２２の先端部分に対向して包茎矯正の作用し、くびれ部２３に溜まる汗や尿の発散作用をして、男性器２０を清潔で爽快なものにする。【選択図】　　　図５
2004081229.tif 000002
【特許請求の範囲】
【請求項１】
男性器の亀頭基部と包皮の間のくびれ部に装着される弾性リング本体と、この弾性リング本体の外周に沿って延在させた弾性フランジ部を有することを特徴とする男性器装着リング。
【請求項２】
前記弾性フランジ部を、前記リング本体の外周からリング本体軸方向に円錐状に延在する外側面と、リング本体外周からリング本体半径方向外方に延在する内側面を有する断面三角形状としたことを特徴とする請求項１記載の男性器装着リング。
【請求項３】
前記リング本体とフランジ部を、トルマリン及びセラミックス含有のシリコンエラストマー素材で一体成形したことを特徴とする請求項１又は２記載の男性器装着リング。
【請求項４】
前記リング本体を直径２．５〜３．５ｍｍの円形断面素材による内径２４．０〜２５．０ｍｍの円形とし、かつ、前記弾性フランジ部を外径３４．５〜３５．５ｍｍの円形としたことを特徴とする請求項１から３のいずれか記載の男性器装着リング。
【発明の詳細な説明】
【０００１】
【発明の属する技術分野】
本発明は、男性器を清潔にし、爽快感を持続させる男性器装着リングに関する。
【０００２】
【従来の技術】
男性器の亀頭基部と包皮の間のくびれ部は、汗や尿の一部が粕として溜まりやすく、くびれ部に粕が溜まると雑菌が増殖して悪臭を放ち、衛生上好ましくない。この問題を解決するものとして、男性器のくびれ部に装着される脱臭脱汗ゴム製リングが特開２００１−２３１７９９号公報に開示されている。このリングは、活性炭入り輪ゴムや除菌剤入り輪ゴムを脱脂綿で包んだ弾性リングで、男性器のくびれ部に装着されて、くびれ部で汗や尿の脱臭脱汗作用と除菌作用をすることで、男性器のくびれ部を清潔にする。
【０００３】
また、仮性包茎の矯正グッズとして、男性器の亀頭基部と包皮の間のくびれ部などに装着される包茎矯正リングがある。この包茎矯正リングは、弾性Ｏ形リングや弾性Ｃ形リングなどのゴム製品が普及している。
【０００４】
【発明が解決しようとする課題】
上記脱臭脱汗ゴム製リングは、輪ゴムを脱脂綿で包んだ構造ゆえに製造コストが割高となる。また、脱脂綿が汗や尿で汚れて、ゴム製リングの再使用が難しい。さらに、仮性包茎の場合、男性器の亀頭を包む余剰包皮をくびれ部より後方に戻してくびれ部に脱臭脱汗ゴム製リングを装着するが、くびれ部後方の余剰包皮が亀頭側に戻る際にゴム製リングを乗り越えて、ゴム製リングに被さることがあり、このような場合はゴム製リングの脱臭脱汗機能がほとんど発揮されず、逆にゴム製リングが悪臭の源となる不具合がある。
【０００５】
また、包茎矯正リングは、仮性包茎の余剰包皮が亀頭基部を越えて亀頭側へと戻るのを阻止する太い素材、かつ、外径の大きな特定形状のものであるため、男性器に装着したときに違和感があり、爽快感を損なうことが多い。また、包茎矯正リングは、仮性包茎の余剰包皮を亀頭基部より後方に止め置くが、余剰包皮の先端部分が包茎矯正リングを乗り上げるように包んで、この余剰包皮と包茎矯正リングの隙間に汗や尿が溜まり、悪臭の源となる不具合があった。
【０００６】
本発明の目的は、違和感少なくして装着でき、男性器を清潔に保つ、また、仮性包茎解消にも効果的な男性器装着リングを提供することにある。
【０００７】
【課題を解決するための手段】
本発明は、男性器の亀頭基部と包皮の間のくびれ部に装着される弾性リング本体と、この弾性リング本体の外周に沿って延在させた弾性フランジ部を有する構造にて、上記目的を達成するものである。
【０００８】
ここで、弾性リング本体と弾性フランジ部はシリコン系ゴムなどの同質又は異質の弾性素材で略円形に形成され、弾性リング本体が男性器の亀頭基部と包皮の間のくびれ部に適度な弾性力で締め付けるように装着される。リング本体が装着されるときの男性器は非勃起の平常状態にあり、リング本体は排尿を妨げない弾性力で男性器のくびれ部に装着される。くびれ部に装着されたリング本体の全周から弾性フランジ部が張り出し、この張り出したフランジ部が男性器のくびれ部後方に移動させた包皮（余剰包皮）の前進を妨げ、くびれ部に溜まった汗や尿の乾燥を促進する。
【０００９】
本発明においては、包皮の前進を効果的に阻止するために前記弾性フランジ部を男性器の根本側（手前側）に傾斜させることが望ましい。これにより弾性フランジ部を薄肉にしても十分な包皮前進阻止力が得られると共に、外観上も目立たないものにでき、かつ、装着上の違和感も少なくできる。具体的には、弾性フランジ部を、前記リング本体の外周からリング本体軸方向に円錐状に延在する外側面と、リング本体外周からリング本体半径方向外方に延在する内側面を有する断面三角形状とすることが望ましい。この弾性フランジ部を有する男性器装着リングは、男性器のくびれ部に弾性フランジ部の円錐状外側面が亀頭側に向くように装着される。このように装着することで、男性器装着リングの装着感を良好ならしめ、例えば仮性包茎の矯正がより効果的に行えるようになる。但し、本発明の男性器装着リングは仮性包茎の治療器具ではなく、仮性包茎の矯正効果はあくまで副次的効果である。
【００１０】
また、本発明は、リング本体とフランジ部をトルマリン及びセラミックス含有のシリコンエラストマー素材で一体成形したことを特徴とする。
さらに、望ましくは前記リング本体を直径２．５〜３．５ｍｍの円形断面素材による内径２４．０〜２５．０ｍｍの円形とし、かつ、前記弾性フランジ部を外径３４．５〜３５．５ｍｍの円形とする。
【００１１】
このようなサイズの円形のリング本体とフランジ部は、標準的な男性器に適度な弾力で、違和感少なくして装着されて、排尿終了時のいわゆる尿切れを良くし、排尿後のちびりを効果的に防止する。また、シリコンエラストマー素材のリング本体とフランジ部に含有されるトルマリン及びセラミックスは、男性器装着リングの表面に包皮、汗、尿等の異物が接触した時にマイナスイオンを発生し、この発生したマイナスイオンが殺菌作用を発揮して男性器を清潔に保つ。
【００１２】
【発明の実施の形態】
以下、本発明の実施の形態を図１〜図５を参照して説明する。
【００１３】
図１〜図４に示される男性器装着リング１０は、図５の鎖線で示すように男性器２０に着脱自在に装着されるもので、トルマリン及びセラミックス含有のシリコンエラストマー素材で形成される。男性器装着リング１０は、円形の弾性リング本体１０ａと、弾性リング本体１０ａの外周から一体に延在させた円形の弾性フランジ部１０ｂで構成される。
【００１４】
図５（Ａ）、（Ｂ）に概念的に示される男性器２０は、亀頭２１の基部と包皮２２の間にくびれ部２３を有する。仮性包茎の場合、包皮２２は亀頭２１に被る余剰包皮がくびれ部２３から後方に移動させてある。男性器装着リング１０の弾性リング本体１０ａは、図４に示すように直径Ｒ１が望ましくは２．５〜３．５ｍｍの円形断面の弾性素材を有する。この弾性リング本体１０ａの内径Ｒ２は、望ましくは２４．０〜２５．０ｍｍの範囲に設定される。また、弾性フランジ部１０ｂは、望ましくは外径Ｒ３が４４．０〜４６．０ｍｍに設定される。リング本体１０ａとフランジ部１０ｂは、望ましくはトルマリン及びセラミックス含有のシリコンエラストマー素材で一体成形する。トルマリン及びセラミックスは、微細粉末状にしてシリコンエラストマーの素材中に混練する。
【００１５】
リング本体１０ａの外周の図４で上半分の部分からフランジ部１０ｂが半径方向外方に一体に延在する。フランジ部１０ｂは、リング本体１０ａの外周からリング本体軸方向に円錐状に延在する外側面１１と、リング本体１０ａの外周からリング本体半径方向外方に延在する内側面１２とを有する断面三角形状をなし、外周部ほど肉薄になっている。
【００１６】
男性器装着リング１０は、非勃起の男性器２０のくびれ部２３に手で装着される。この装着は、図５（Ａ）、（Ｂ）に示すように、弾性フランジ部１０ｂの円錐状外側面１１が亀頭２１側に向くようにして装着する。
【００１７】
非勃起の男性器２０のくびれ部２３のサイズ（平均直径）は変動し、また、個人差もあって一定していないが、平均的な標準サイズは２４．５ｍｍである。そこで、リング使用前の弾性リング本体１０ａの内径Ｒ２を２４．０〜２５．０ｍｍに、好ましくは標準サイズの２４．５ｍｍに設定し、弾性フランジ部１０ｂの外径Ｒ３を３４．５〜３５．５ｍｍに、好ましくは３５．０ｍｍに設定する。
【００１８】
以上のサイズの男性器装着リング１０は、手で少し拡径された状態で男性器２０の亀頭２１からくびれ部２３に挿入して装着されて、くびれ部２３を適度な弾性力で弾圧する。くびれ部２３に装着された男性器装着リング１０は、手で外さない限り簡単には外れない。男性器２０に男性器装着リング１０を常時装着する場合は、少なくとも入浴時だけは男性器２０から男性器装着リング１０を手で外して男性器２０とリング１０の双方を洗浄することが望ましい。男性器装着リング１０の使用前のサイズを上記のように設定すると、男性器２０に次の（１）〜（７）の各状態で装着される。
【００１９】
（１）、断面円形のリング本体１０ａが適度な弾性力でくびれ部２３に接触する。リング本体１０ａのシリコンエラストマー素材は、同素材特有の優れた撥水性、形状追従性、密着性でもってくびれ部２３の皮膚に感触性良く接触し、違和感をほとんど感じさせない。
【００２０】
（２）、図５（Ｂ）に示す男性器２０の裏側には亀頭２１の凹み部２４があり、凹み部２４を尿道部２５が縦走する。この凹み部２４は敏感な部分であり、凹み部２４を避けるように円形のリング本体１０ａが装着されるため、違和感が尚更に軽減される。
【００２１】
（３）、円形のリング本体１０ａは、亀頭２１の裏側の尿道部２５の一部を横切るように少し圧迫する。この圧迫は、違和感を与えるほどではなく、かつ、排尿を邪魔するほどではない。また、リング本体１０ａの尿道部２５の軽度な圧迫は、排尿直後の尿の切れを良くして残尿感を軽減させ、排尿後の尿のちびりを無くして、下着の尿による汚れを軽減させる。さらに、特に高齢者においては就寝時の排尿回数を低減させる。
【００２２】
（４）、くびれ部２３に埋まるように装着されたリング本体１０ａの外周から数ｍｍの突出長さで張り出すフランジ部１０ｂは、薄肉片状であるから外観上殆ど目立たず、かつ、下着に接触する際の抵抗が極めて少ないために装着時の違和感がない。リング１０の素材色を望ましくは肌色にすることで、公衆浴場などで人目に付くこともなくなる。
【００２３】
（５）、フランジ部１０ｂの円錐状外側面１１を亀頭２１側に向けることで、内側面１２が包皮２２の先端部と対向して、包皮２２の余剰部分がフランジ部１０ｂを乗り越えて亀頭２１側に移動するのを阻止して、包茎矯正が可能となる。包皮２２が亀頭２１側に移動する場合、フランジ部１０ｂが包皮２２で押圧されて少し拡径されるように変形するが、この変形が円錐状外側面１１のテーパーによる抵抗を受けて、変形が抑制され、包皮２２の前進が抑制されて、効果的な包茎矯正が可能となる。仮に、フランジ部１０ｂの内側面１２を亀頭２１側に向けてリング１０をくびれ部２３に装着すると、包皮２２の前進でフランジ部１１ｂが変形しやすくなって包茎矯正の効果が低減する。
【００２４】
（６）、包皮２２が亀頭２１へと前進するのをリング１０が阻止して、包皮２２と亀頭２１の接触が回避され、亀頭２１が常時露出した状態になるので、くびれ部２３に溜まる汗や尿の量が低減され、また、くびれ部２３に溜まる汗や尿はリング１０のフランジ部１０ｂで積極的に乾燥される。そのため、くびれ部２３での細菌増殖、悪臭発生が軽減されて、男性器２０が清潔に維持される。ゴルフなどのスポーツ時に激しく発汗しても、男性器２０の蒸れが軽減され、スポーツが快適に楽しめるようになる。
【００２５】
（７）、トルマリン及びセラミックス含有のシリコンエラストマー素材のリング１０は、下着と接触して擦られることでトルマリンがマイナスイオンを発生し、このマイナスイオン発生をセラミックスが促進する。リング１０から発生したマイナスイオンで男性器２０の周辺空気のイオンバランスが整えられて、不快だった周辺空気が爽快なものなり、また、マイナスイオンの殺菌作用で男性器２０の、特にくびれ部２３での細菌増殖が抑制されて、男性器２０が清潔に保たれる。
【００２６】
なお、男性器装着リング１０において、リング本体１０ａの直径Ｒ１が２．５ｍｍ未満であると強度不足を招き、３．５ｍｍを超えるとリング１０の持つ弾性力が大きくなり過ぎて男性器２０への装着感が悪くなる。また、使用前の弾性リング本体１０ａの内径Ｒ２を２４．０ｍｍ未満にすると、男性器２０のくびれ部２３に適度の弾性力以上で装着されて違和感を与え、内径Ｒ２を２５．０ｍｍより大きくすると男性器２０からリング１０が抜け落ちやすくなる。また、弾性フランジ部１０ｂの外径Ｒ３が３４．５ｍｍ未満であると包茎矯正効果が劣り、３５．５ｍｍを超えるとフランジ部１０ｂが下着に強く擦れてリング１０の装着感が悪くなり、リング１０が他人に目立つようになる。
【００２７】
【発明の効果】
本発明によれば、リング本体が男性器のくびれ部に適度な弾性力で装着され、かつ、リング本体とフランジ部が男性器のくびれ部に埋まるように装着されるので、外観上ほとんど目立つことがなく、また装着による違和感がなくて常時装着も快適に行える実用価値の高い男性器装着リングが提供できる。また、リング本体が男性器のくびれ部にフィットして不本意な排尿を阻止するので、排尿の残尿感やちびりを軽減させ、排尿直後の切れを良好なものにし、特に高齢者の就寝時排尿回数を低減させる効果がある。
【００２８】
また、フランジ部による仮性包茎矯正作用と共に、男性器のくびれ部に溜まる汗や尿が包皮で覆われずに速やかに乾燥するため男性器が清潔に保たれ、ゴルフなどのスポーツ時に激しく発汗しても、男性器の蒸れが軽減されて爽快感が得られる。
【００２９】
また、トルマリン及びセラミックス含有のシリコンエラストマー素材の男性器装着リングはイオンバランスを整え、マイナスイオンの殺菌作用が期待できて、男性器の爽快感を高める効果に優れる。また、同素材の男性器装着リングは、男性器から取り外して洗浄しても変質せず、何度でも再使用することができる。
【図面の簡単な説明】
【図１】本発明に係る男性器装着リングの実施の形態を示す正面図である。
【図２】図１のリングの裏面図である。
【図３】図１のリングの側面図である。
【図４】図１のＸ−Ｘ線に沿う断面図である。
【図５】（Ａ）は図１のリングを男性器に装着したときの概念を示す平面図、（Ｂ）は男性器の裏側からみたリングの裏面図である。
【符号の説明】
１０　　男性器装着リング
１０ａ　　弾性リング本体
１０ｂ　　弾性フランジ部
１１　　円錐状外側面
１２　　内側面
２０　　男性器
２１　　亀頭
２２　　包皮
２３　　くびれ部
２４　　凹み部
２５　　尿道部
【図１】
2004081229.tif 000003
【図２】
2004081229.tif 000004
【図３】
2004081229.tif 000005
【図４】
2004081229.tif 000006
【図５】
2004081229.tif 000007